(57)【特許請求の範囲】
【請求項１】
ハウジング内に一対の入力端子と出力端子の間の切替をなすスイッチを備え、前記ハウジングにはスイッチを切替える操作ノブが設けられるスイッチ装置において、
前記操作ノブは、前記ハウジングに対して複数回転位置に回転操作自在とされると共に、前記複数回転位置のそれぞれで正負二方向にスライド操作自在とされ、前記操作ノブには前記回転操作に伴い回転する回転軸部材が連係され、
前記スイッチは前記操作ノブが前記複数回転位置のいずれにあっても前記正負二方向の操作により各方向に対応した出力をなし、前記回転軸部材は回転に伴い外部の切替機構を駆動する切替部を有し、
前記操作ノブは、前記ハウジングに対して回転自在な回転部材と、該回転部材と共に回転自在で前記回転部材に対してスライド自在なスライド部材とからなり、
前記ハウジングには前記回転部材と共に回転自在な回転駆動部と、該回転駆動部に対し前記スライド部材と共にスライド自在な水平駆動部とが設けられると共に、前記回転駆動部には前記回転軸部材が連結され、
前記スイッチは、前記回転駆動部に設けられて前記水平駆動部のスライドによって切替えられるスライド連動スイッチと、前記回転駆動部の回転によって切替えられる回転連動スイッチとからなり、該回転連動スイッチは、前記回転駆動部に設けられる可動接点と前記ハウジングに設けられる固定接点とからなると共に、前記操作ノブの複数回転位置のそれぞれで前記スライド連動スイッチを前記入力端子及び出力端子に接続し、前記スライド連動スイッチは前記正負二方向の操作に対応して前記入力端子と出力端子の間の接続状態を切替えることを特徴とするスイッチ装置。
【請求項２】
ハウジング内に一対の入力端子と出力端子の間の切替をなすスイッチを備え、前記ハウジングにはスイッチを切替える操作ノブが設けられるスイッチ装置において、
前記操作ノブは、前記ハウジングに対して複数回転位置に回転操作自在とされると共に、前記複数回転位置のそれぞれで正負二方向にスライド操作自在とされ、前記操作ノブには前記回転操作に伴い回転する回転軸部材が連係され、
前記スイッチは前記操作ノブが前記複数回転位置のいずれにあっても前記正負二方向の操作により各方向に対応した出力をなし、前記回転軸部材は回転に伴い外部の切替機構を駆動する切替部を有し、
前記操作ノブは、前記ハウジングに対して回転自在かつ前記複数回転位置のそれぞれでスライド自在な回転スライド部材からなり、
前記ハウジングには前記回転スライド部材と共に回転自在な回転駆動部と、該回転駆動部に対し前記回転スライド部材と共にスライド自在な水平駆動部と、前記複数回転位置における前記水平駆動部のスライドにより垂直方向に沿って押圧される複数の垂直駆動部とが設けられると共に、前記回転駆動部には前記回転軸部材が連結され、
前記スイッチは、前記複数の垂直駆動部に対向してそれぞれ前記ハウジングに設置され、前記操作ノブの複数回転位置のそれぞれで前記垂直駆動部が駆動されるのに伴い、前記入力端子と出力端子の間の接続状態を切替えることを特徴とするスイッチ装置。
【発明の詳細な説明】
【技術分野】
【０００１】
本発明は、車両のシートスイッチなどとして用いられる回転及びスライド操作自在なスイッチ装置に関し、特に複数方向の操作に対する電気的な出力を一本化すると共に機械的な切替を同時に行うことのできるスイッチ装置に関する。
【背景技術】
【０００２】
車両のシートスイッチは、シートを前後方向にスライドさせる操作、シートのリクライニング角度を変化させる操作、シート座面を上下させる操作など複数方向に対する操作を１箇所のスイッチで行えるように集約したものである。かかる複数動作の操作を行うため、例えば各動作に対応してそれぞれスイッチ装置を設け、各スイッチ装置はスライド操作自在な操作ノブを備えたものがある。この場合には、操作ノブのいずれかをスライド操作することにより、各動作をそれぞれ行うようにすることができる。
【０００３】
一方、操作ノブを動作ごとに設けるのではなく、操作ノブの回転操作により動作を選択し、操作ノブをスライド操作することで選択された動作を行うように構成することもできる。この場合には、一つの操作ノブに全ての動作に対する操作を集約することができる。このようなスイッチ装置としては例えば特許文献１に挙げるようなものがある。
【先行技術文献】
【特許文献】
【０００４】
【特許文献１】特開２００８−２８４９９３号公報
【発明の概要】
【発明が解決しようとする課題】
【０００５】
パワーシートにおいては、シートを駆動するためのモーターが設けられる。このモーターは、各動作に対応して複数が設けられていた。このためスイッチ装置は、各動作に対応した出力系統に接続され、それぞれのモーターを駆動するようになっていた。これは、一つの操作ノブで複数の動作に対する操作を行う場合であっても同様である。
【０００６】
しかし、従来のパワーシートでは、それぞれの動作に対応してモーターを用意する必要があり、重量が大きくなると共にコストも高いという問題があった。また、スイッチ装置とモーターの間の配線も多くなり、組立も煩雑になっていた。モーターを一つにし、モーターに接続するギアを切替えて各動作を行わせることも考えられるが、従来のスイッチ装置では出力系統が複数必要となる点では同様であるし、ギアの切替を駆動する必要もあるから、構成がかえって複雑になる可能性が高い。
【０００７】
本発明は前記課題を鑑みてなされたものであり、１つのモーターで複数の動作を行わせる場合に、電気的な出力系統を１つとしつつ各動作を機械的に切替ることができ、簡易な構成のパワーシートとすることのできるスイッチ装置を提供することを目的とする。
【課題を解決するための手段】
【０００９】
前記課題を解決するため、本発明に係るスイッチ装置は、ハウジング内に一対の入力端子と出力端子の間の切替をなすスイッチを備え、前記ハウジングにはスイッチを切替える操作ノブが設けられるスイッチ装置において、
前記操作ノブは、前記ハウジングに対して複数回転位置に回転操作自在とされると共に、前記複数回転位置のそれぞれで正負二方向にスライド操作自在とされ、前記操作ノブには前記回転操作に伴い回転する回転軸部材が連係され、
前記スイッチは前記操作ノブが前記複数回転位置のいずれにあっても前記正負二方向の操作により各方向に対応した出力をなし、前記回転軸部材は回転に伴い外部の切替機構を駆動する切替部を有し、
前記操作ノブは、前記ハウジングに対して回転自在な回転部材と、該回転部材と共に回転自在で前記回転部材に対してスライド自在なスライド部材とからなり、
前記ハウジングには前記回転部材と共に回転自在な回転駆動部と、該回転駆動部に対し前記スライド部材と共にスライド自在な水平駆動部とが設けられると共に、前記回転駆動部には前記回転軸部材が連結され、
前記スイッチは、前記回転駆動部に設けられて前記水平駆動部のスライドによって切替えられるスライド連動スイッチと、前記回転駆動部の回転によって切替えられる回転連動スイッチとからなり、該回転連動スイッチは、前記回転駆動部に設けられる可動接点と前記ハウジングに設けられる固定接点とからなると共に、前記操作ノブの複数回転位置のそれぞれで前記スライド連動スイッチを前記入力端子及び出力端子に接続し、前記スライド連動スイッチは前記正負二方向の操作に対応して前記入力端子と出力端子の間の接続状態を切替えることを特徴として構成されている。
【００１０】
さらに、本発明に係るスイッチ装置は、前記操作ノブは、ハウジング内に一対の入力端子と出力端子の間の切替をなすスイッチを備え、前記ハウジングにはスイッチを切替える操作ノブが設けられるスイッチ装置において、
前記操作ノブは、前記ハウジングに対して複数回転位置に回転操作自在とされると共に、前記複数回転位置のそれぞれで正負二方向にスライド操作自在とされ、前記操作ノブには前記回転操作に伴い回転する回転軸部材が連係され、
前記スイッチは前記操作ノブが前記複数回転位置のいずれにあっても前記正負二方向の操作により各方向に対応した出力をなし、前記回転軸部材は回転に伴い外部の切替機構を駆動する切替部を有し、
前記操作ノブは、前記ハウジングに対して回転自在かつ前記複数回転位置のそれぞれでスライド自在な回転スライド部材からなり、
前記ハウジングには前記回転スライド部材と共に回転自在な回転駆動部と、該回転駆動部に対し前記回転スライド部材と共にスライド自在な水平駆動部と、前記複数回転位置における前記水平駆動部のスライドにより垂直方向に沿って押圧される複数の垂直駆動部とが設けられると共に、前記回転駆動部には前記回転軸部材が連結され、
前記スイッチは、前記複数の垂直駆動部に対向してそれぞれ前記ハウジングに設置され、前記操作ノブの複数回転位置のそれぞれで前記垂直駆動部が駆動されるのに伴い、前記入力端子と出力端子の間の接続状態を切替えることを特徴として構成されている。
【発明の効果】
【００１１】
本発明に係るスイッチ装置によれば、操作ノブは、ハウジングに対して複数回転位置に回転操作自在とされると共に、複数回転位置のそれぞれで正負二方向にスライド操作自在とされ、操作ノブには回転操作に伴い回転する回転軸部材が連係され、スイッチは操作ノブが複数回転位置のいずれにあっても正負二方向の操作により各方向に対応した出力をなし、回転軸部材は回転に伴い外部の切替機構を駆動する切替部を有することにより、１つのモーターで複数の動作を行う場合に、動作の切替を機械的駆動により行ってモーターに対する電気出力は１系統とすることができるので、簡易な構成とすることができる。
【００１２】
また、本発明に係るスイッチ装置によれば、操作ノブは回転部材とスライド部材とからなり、ハウジングには回転部材と共に回転自在な回転駆動部と、回転駆動部に対しスライド部材と共にスライド自在な水平駆動部とが設けられ、回転駆動部には前記回転軸部材が連結され、回転連動スイッチは、操作ノブの複数回転位置のそれぞれでスライド連動スイッチを入力端子及び出力端子に接続し、スライド連動スイッチは正負二方向の操作に対応して入力端子と出力端子の間の接続状態を切替えることにより、回転部材の各回転位置において、それぞれスライド部材のスライド操作によってモーターに対する出力をなすことができ、回転及びスライド操作による各動作につき簡易な構成で実現できる。
【００１３】
さらに、本発明に係るスイッチ装置によれば、ハウジングには回転スライド部材と共に回転自在な回転駆動部と、回転駆動部に対し回転スライド部材と共にスライド自在な水平駆動部と、複数回転位置における水平駆動部のスライドにより垂直方向に沿って押圧される複数の垂直駆動部とが設けられ、回転駆動部には回転軸部材が連結され、スイッチは、複数の垂直駆動部に対向してそれぞれハウジングに設置され、操作ノブの複数回転位置のそれぞれで垂直駆動部が駆動されるのに伴い、入力端子と出力端子の間の接続状態を切替えることにより、回転操作とスライド操作を一部材の操作ノブで行うことができ、操作に際して操作ノブを持ち替える必要がないので、より容易な操作とすることができる。
【図面の簡単な説明】
【００１４】
【図１】スイッチ装置が用いられるパワーシート装置の概要構成図である。
【図２】第１の実施形態におけるスイッチ装置の斜視図である。
【図３】第１の実施形態におけるスイッチ装置の分解斜視図である。
【図４】第１の実施形態におけるスイッチ装置の回路図である。
【図５】第２の実施形態におけるスイッチ装置の斜視図である。
【図６】第２の実施形態におけるスイッチ装置の分解斜視図である。
【図７】第２の実施形態におけるスイッチ装置の回路図である。
【発明を実施するための形態】
【００１５】
本発明の実施形態について図面に沿って詳細に説明する。図１には、スイッチ装置が用いられるパワーシート装置の概要構成図につき示している。この図に示すように、パワーシート装置は、複数方向の動作可能な車両のシート１と、シート１を動作させる１つのモーター２と、１つのモーター２で複数の動作を行うための切替機構３と、切替機構３を切替駆動すると共にモーター２のオン・オフ及び回転方向を指示するスイッチ装置４とを有して構成されている。
【００１６】
シート１は、座面１ａと背面１ｂを有し、座面１ａは前後方向にスライド自在（スライド動作）であると共に、上下動自在（リフト動作）とされている。背面１ｂは、傾倒自在（リクライニング動作）とされている。これら動作は、いずれも正負二方向に行うことができる。
【００１７】
シート１内には、スライド動作とリフト動作及びリクライニング動作の各動作を行うための駆動軸が内蔵されているが、これらいずれか１つの駆動軸を切替えてモーター２に接続するのが切替機構３である。切替機構３は、クラッチ機構を有してなり、機械的な回転駆動が入力されることにより、駆動軸のモーター２に対する接続切替をなすように構成されている。
【００１８】
スイッチ装置４は、車内に露出する操作ノブ１１を備えており、この操作ノブ１１は回転操作とスライド操作を行うことができるように構成されている。操作ノブ１１の回転操作は、シート１の３つの動作に対応して３箇所の回転位置に切替可能となっている。また、スイッチ装置４は、操作ノブ１１の回転操作に連動して回転する回転軸部１５を有し、操作ノブ１１の回転操作によって、切替機構３に対する機械的な回転駆動が行われる。操作ノブ１１のスライド操作は、操作ノブ１１における一直線上の正負二方向に対して行うことができ、この正負二方向のスライド操作によって、モーター２に対する正方向または負方向の電気的な出力がなされる。
【００１９】
図２には、第１の実施形態におけるスイッチ装置４の斜視図を示している。スイッチ装置４は、基部となるハウジング１０と、ハウジング１０に対して複数回転位置に回転操作自在とされると共に、複数回転位置のそれぞれで正負二方向にスライド操作自在な操作ノブ１１とを有して構成されている。ハウジング１０は、シート１の座面１ａにおける側面部に配置されるのが一般的である。回転操作における複数回転位置は、前述のように３箇所に設定されており、これら３箇所の各回転位置において、スライド操作に対応した電気的な出力をなすことができる。駆動するモーターは一つだけであるので、電気的な出力は１系統でなされる。
【００２０】
操作ノブ１１は、回転操作をなすための扁平円筒のダイヤル状に形成された回転部材２２と、回転部材２２に保持され、この回転部材２２に対してスライド自在な小片状のスライド部材２３との二部材で構成されている。操作を行う者は、回転部材２２を回転させていずれかの回転位置とすることによって、シート１の３種類の動作のうちどれを行うかを選択し、スライド部材２３を正負いずれかの方向にスライドさせることで、シート１の動作を行わせる。
【００２１】
ハウジング１０の操作ノブ１１が設けられる側と反対側には、回転軸部１５が突出している。回転軸部１５は、先端部が歯車状に形成された切替部１５ｂとなっており、切替部１５ｂは前述の切替機構３に連係される。回転軸部１５は操作ノブ１１と連係されており、回転部材２２を回転操作することにより、共に回転する。この回転動作に伴い、切替部１５ｂにより切替機構３が機械的に駆動されて、モーター２とシート１内の駆動軸との接続状態が切替えられ、シート１の動作が切替えられる。ここでは、操作ノブ１１が第１の回転位置にあるときは、シート１のスライド動作が行われ、操作ノブ１１が第２の回転位置にあるときは、シート１のリフト動作が行われ、操作ノブ１１が第３の回転位置にあるときは、シート１のリクライニング動作が行われるように、切替機構３の切替がなされるものとする。
【００２２】
スイッチ装置４の構成についてより詳細に説明する。図３には、第１の実施形態におけるスイッチ装置４の分解斜視図を示している。まずハウジング１０については、操作ノブ１１を保持する上部ハウジング２０と、回転軸部１５側を構成する下部ハウジング２１との二部材にて構成されている。上部ハウジング２０は、操作ノブ１１をハウジング１０内と連係させるために大きく開いた開口部２０ａを備え、その周囲には回転部材２２を回転自在に保持する操作ノブ保持部２０ｂが形成されている。
【００２３】
下部ハウジング２１は、回転軸部１５を挿通させる挿通孔部２１ａを中央部に備え、その周囲部には、スイッチ１２を構成する固定接点２１ｂが、周方向に渡る接点パターンとして形成されている。周縁部には、電源からの入力端子及びモーター２への出力端子を備える入出力端子部２１ｃが形成されている。
【００２４】
操作ノブ１１については、前述のように回転部材２２とスライド部材２３からなり、回転部材２２には、スライド部材２３を正負二方向に摺動自在とする案内部２２ａが形成され、また回転部材２２の側面部２２ｂには、回転操作を行いやすいように、周方向に複数の凹部が形成されている。なお、図３ではスライド部材２３が右方向に摺動する場合に、正方向への操作とし、スライド部材２３が左方向に摺動する場合に、負方向への操作とする。
【００２５】
ハウジング１０内に納められるのは、操作ノブ１１によって切替駆動されるスイッチ１２と、操作ノブ１１の回転操作により回転する回転駆動部１３と、回転駆動部１３に対しスライド部材２３と共にスライド自在な水平駆動部１４である。操作ノブ１１は、スライド部材２３が水平駆動部１４に形成される突部１４ａと嵌合し、スライド部材２３のスライド操作により水平駆動部１４もスライドし、回転部材２２の回転操作によりスライド部材２３も共に回転するから、水平駆動部１４もそれに伴って回転し、さらに水平駆動部１４が連係する回転駆動部１３も回転する。
【００２６】
回転駆動部１３は、段付円筒状のホルダ部材２６と、ホルダ部材２６内に納められるスイッチ保持部材２７とからなっている。ホルダ部材２６は、図３で図示している側と反対側が空洞状となっており、スイッチ保持部材２７を収納することができ、上面には水平駆動部１４を正負二方向に摺動自在とする水平案内部２６ａを備えている。また、外周面には周方向に沿って凹凸部２６ｂが形成されている。
【００２７】
スイッチ保持部材２７は、上面に２つのスライド連動スイッチ２４、２４を備えている。図中右側のスライド連動スイッチ２４は、水平駆動部１４がスライド部材２３により正方向に駆動されると、水平駆動部１４の下面側で駆動され、内部の接点が切替わる。一方、図中左側のスライド連動スイッチ２４は、水平駆動部１４がスライド部材２３により負方向に駆動されると、水平駆動部１４の下面側で駆動され、内部の接点が切替わる。スイッチ保持部材２７は、回転駆動部１３を構成し、操作ノブ１１の回転操作と共に回転するから、回転部材２２がどの角度であっても、スライド部材２３により駆動することができる。
【００２８】
スイッチ保持部材２７の下面側には、４つの可動接点３２が設けられる。可動接点３２は、前述した下部ハウジング２１に設けられる固定接点２１ｂとで回転連動スイッチ２５を構成する。回転連動スイッチ２５は、操作ノブ１１の３箇所の回転位置に対応して、接点の状態が切替わるように構成されている。
【００２９】
回転駆動部１３を構成するホルダ部材２６と上部ハウジング２０との間には、周方向４箇所に付勢部材３０及び係脱部材３１が設けられる。付勢部材３０は、ホルダ部材２６と上部ハウジング２０との間で、係脱部材３１をホルダ部材２６の凹凸部２６ｂに対して押圧する方向に付勢する。操作ノブ１１の回転操作により回転駆動部１３が回転すると、係脱部材３１はホルダ部材２６の凹凸部２６ｂに対して係脱を繰り返し、回転操作に対するクリック感触を付与することができる。
【００３０】
回転軸部材１５は、軸状のシャフト部１５ａを備え、シャフト部１５ａの一端部に形成される切替部１５ｂと反対側の端部に、回転駆動部１３を構成するスイッチ保持部材２７の下面側に連結される連結部１５ｃが形成されている。連結部１５ｃとスイッチ保持部材２７が連結されていることにより、回転軸部１５は回転駆動部１３と共に回転、すなわち、操作ノブ１１の回転操作に伴って回転駆動されることとなる。前述のように、この回転駆動によって回転軸部１５は切替機構３に対する切替駆動を行う。
【００３１】
このスイッチ装置４の電気的構成について説明する。図４には、第１の実施形態におけるスイッチ装置４の回路図を示している。モーター２は１つであるので、スイッチ装置４に対する入力端子１６と出力端子１７は、一対をなしている。入力端子１６は、グランド端子ＧＮＤと電源端子＋Ｂとからなり、出力端子１７は、第１端子Ｍ１と第２端子Ｍ２とからなっている。ここでは、出力端子１７において第１端子Ｍ１から第２端子Ｍ２に向かって電流が流れる場合に、モーター２が正方向に回転し、出力端子１７において第２端子Ｍ２から第１端子Ｍ１に向かって電流が流れる場合に、モーター２が負方向に回転するものとする。
【００３２】
スイッチ装置４内には、前述のようにスライド連動スイッチ２４と回転連動スイッチ２５とが配置されている。スライド連動スイッチ２４は、図４において２箇所に配置（ＣＥＬＬＳＷ１、ＣＥＬＬＳＷ２）されており、操作されていない状態では出力端子１７の第１端子Ｍ１及び第２端子Ｍ２を、それぞれ入力端子１６のグランド端子ＧＮＤ側に接続している。
【００３３】
回転連動スイッチ２５は、操作ノブ１１における３箇所の回転位置に対応して、位置Ｐ１、位置Ｐ２、位置Ｐ３が切替わる。図４では４つの回転連動スイッチ２５が示されているが、これは、図３において可動端子３２が４つ設けられているのに対応する。４つの回転連動スイッチ２５は、操作ノブ１１の回転操作によって、全て同じ位置に切替わる。
【００３４】
操作ノブ１１の操作を行った場合の動作は以下の通りである。まず、操作ノブ１１の回転位置が第１の位置であるとき、回転連動スイッチ２５は位置Ｐ１にあり、このときに操作ノブ１１を一方側にスライド操作すると、一方のスライド連係スイッチ２４（ＣＥＬＬＳＷ１）が切替わり、第１端子Ｍ１が電源端子＋Ｂに接続される。第２端子Ｍ２はグランド端子ＧＮＤに接続されたままである。したがって、電流は第１端子Ｍ１からモーター２を経て第２端子Ｍ２に流れ、モーター２は正方向に回転する。操作ノブ１１を他方側にスライド操作すると、他方のスライド連係スイッチ２４（ＣＥＬＬＳＷ２）が切替わり、第２端子Ｍ２が電源端子＋Ｂに接続されるから、モーター２は負方向に回転する。前述のように、操作ノブ１１の回転位置が第１の位置であるときは、回転軸部１５によって切替機構３はモーター２をスライド動作のための駆動軸に接続しているから、操作ノブ１１のスライド操作によりシート１はスライド動作する。
【００３５】
操作ノブ１１の回転位置が第２の位置であるとき、回転連動スイッチ２５は位置Ｐ２にあり、このときは、回転連動スイッチ２５が位置Ｐ１にあるときと同じように動作する。そして、操作ノブ１１の回転位置が第２の位置であるときは、回転軸部１５によって切替機構３はモーター２をリフト動作のための駆動軸に接続しているから、操作ノブ１１のスライド操作によりシート１はリフト動作する。
【００３６】
操作ノブ１１の回転位置が第３の位置であるとき、回転連動スイッチ２５は位置Ｐ３にある。位置Ｐ３は、位置Ｐ１、Ｐ２とは逆の出力端子に接続されているから、一方のスライド連係スイッチ２４（ＣＥＬＬＳＷ１）が切替わると、電流は第２端子Ｍ２からモーター２を経て第１端子Ｍ１に流れ、モーター２は負方向に回転し、他方のスライド連係スイッチ２４（ＣＥＬＬＳＷ２）が切替わると、電流は第１端子Ｍ１からモーター２を経て第２端子Ｍ２に流れ、モーター２は正方向に回転する。そして、操作ノブ１１の回転位置が第３の位置であるときは、回転軸部１５によって切替機構３はモーター２をリクライニング動作のための駆動軸に接続しているから、操作ノブ１１のスライド操作によりシート１はリクライニング動作する。
【００３７】
このように、スイッチ装置４に回転及びスライド操作自在な操作ノブ１１と、回転操作に伴い回転する回転軸部１５とを設け、操作ノブ１１の複数回転位置において正負のスライド操作による電気出力をなすと共に、回転軸部１５により切替機構３を機械的に切替駆動することにより、１つのモーター２で複数の動作を行う場合に、動作の切替を機械的駆動により行ってモーター２に対する電気出力は１系統とすることができるので、簡易な構成のスイッチ装置４とすることができる。
【００３８】
次に、スイッチ装置４の第２の実施形態について説明する。図５には、第２の実施形態におけるスイッチ装置４の斜視図を示している。第２の実施形態のスイッチ装置４も、第１の実施形態のスイッチ装置４と基本構成は同様である。すなわち、ハウジング５０に操作ノブ５１が設けられて回転及びスライド操作自在とされると共に、ハウジング５０からは操作ノブ５１の回転操作に伴い回転自在な回転軸部材５７が突出している。回転軸部材５７の先端部には、歯車状の切替部５７ｂが形成されて、切替機構３の切替駆動を行うことができるようにされている。一方で、第２の実施形態のスイッチ装置４は、一部材の操作ノブ５１を、回転及びスライド操作自在となるように構成している。このため、操作ノブ５１とハウジング５０の内部構造については、第１の実施形態と異なっている。
【００３９】
図６には、第２の実施形態におけるスイッチ装置４の分解斜視図を示している。ハウジング５０は、上部ハウジング６１と下部ハウジング６２の二部材で構成されている。上部ハウジング６１は、中空円筒状の突出部６１ａを有しており、ハウジング５０内部と操作ノブ５１とを連係させる。下部ハウジング６２には、接点パターン６２ａが設けられ、さらにこの接点パターン６２ａを切替える４つのスイッチ５２が載置されている。また、下部ハウジング６２には、電源からの入力端子及びモーター２への出力端子を備える入出力端子部６２ｂが形成されている。
【００４０】
操作ノブ５１は、前述のように一部材であり、回転スライド部材６０からなっている。図６においても、回転スライド部材６０が右方向に摺動する場合に、正方向への操作とし、回転スライド部材６０が左方向に摺動する場合に、負方向への操作とする。
【００４１】
ハウジング５０内には、前述のスイッチ５２と、操作ノブ５１の回転操作により回転する回転駆動部５３と、回転駆動部５３に対し操作ノブ５１と共にスライド自在な水平駆動部５４と、水平駆動部５４によって垂直方向に駆動される垂直駆動部５５である。操作ノブ５１は、水平駆動部５４に形成される突部５４ａと嵌合し、回転スライド部材６０のスライド操作により水平駆動部５４がスライドする。回転駆動部５３には、水平駆動部５４を案内する水平案内部５３ａが形成されているから、水平駆動部５４を案内がスライドしても、回転駆動部５３の動作には影響しない。一方、回転スライド部材６０を回転操作したときには、水平駆動部５４と共に回転駆動部５３が回転する。
【００４２】
回転駆動部５３は一部材からなり、前述の水平案内部５３ａと、第１の実施形態と同様の凹凸部５３ｂが形成される。凹凸部５３ｂには、回転駆動部５３の回転に伴い、上部ハウジング６１との間で付勢部材７０に付勢された係脱部材７１が係脱して、回転操作に対するクリック感触を付与する。また、回転駆動部５３の水平案内部５３ａ内にも付勢部材７０及び係脱部材７１が設けられ、水平駆動部５４のスライドに伴い係脱部材７１が水平案内部５３ａ内で係脱し、スライド操作に対するクリック感触も付与する。
【００４３】
回転駆動部５３の下部には、スイッチ５２を駆動するための垂直駆動部５５と、この垂直駆動部５５を案内するガイド部材５６が設けられる。垂直駆動部５５は、４枚の羽根状に形成された揺動レバー６３と、揺動レバー６３によって上下する駆動体６４とからなっている。揺動レバー６３は、それぞれ２箇所に押圧突起６３ａを備えている。押圧突起６３ａは、中心側が傾斜面状に形成されており、この傾斜面部分が水平駆動部５４によって押圧される。押圧突起６３ａは周方向に全部で８つ形成されており、操作ノブ５１の各回転位置の全てにおいて、スライド操作に対応していずれか１つが水平駆動部５４によって押圧されるように配置されている。
【００４４】
揺動レバー６３は、中心側の辺を回動中心として揺動自在となるようにガイド部材５６に支持されており、揺動レバー６３のうち１つが水平駆動部５４により中心側から外周側に押圧されると、揺動レバー６３は中心側の辺を中心として上下に揺動する。この動作により、４つの駆動体６４のうち対応する１つが上下に駆動される。これにより、４つのスイッチ５２のうち１つが切替わることとなる。ガイド部材５６は、前述のように揺動レバー６３を揺動自在に保持する揺動保持部５６ａと、駆動体６４の外周面を保持して、駆動体６４を上下方向に移動可能とする垂直案内部５６ｂとを、それぞれ４つずつ有している。これらの構成により、操作ノブ５１は、回転位置及びスライド操作の正負方向のいずれにおいても、４つのスイッチ５２のうち１つを切替駆動する。
【００４５】
回転軸部材５７は、軸状のシャフト部５７ａを備え、シャフト部５７ａの一端部に形成される切替部５７ｂと反対側の端部に、回転駆動部５３の回転軸連結部５３ｃと連結される連結部５７ｃが形成されている。これにより、回転軸部材５７は回転駆動部５３と共に回転することができる。
【００４６】
スイッチ装置４の電気的構成についても説明する。図７には、第２の実施形態におけるスイッチ装置４の回路図を示している。本実施形態でも、入力端子５８と出力端子５９は、一対をなしている。入力端子５８は、グランド端子ＧＮＤと電源端子＋Ｂとからなり、出力端子５９は、第１端子Ｍ１と第２端子Ｍ２とからなっている。モーター２の回転方向は、第１の実施形態と同様に定義する。
【００４７】
本実施形態では、操作ノブ５１のスライド操作にのみ対応してスイッチ５２の操作がなされるから、４つのスイッチ５２（Ｓ１−１、Ｓ１−２、Ｓ２−１、Ｓ２−２）は全て同じ構成を有している。これらのスイッチ５２は、操作されていない状態では、出力端子５９の第１端子Ｍ１及び第２端子Ｍ２を、それぞれ入力端子５８のグランド端子ＧＮＤ側に接続している。
【００４８】
操作ノブ５１がスライド操作されると、前述のようにいずれか１つのスイッチ５２が切替えられる。スイッチＳ１−１またはＳ２−１が切替駆動された場合、第１端子Ｍ１は電源端子＋Ｂに接続され、第２端子Ｍ２はグランド端子ＧＮＤに接続されたままであるので、電流は第１端子Ｍ１からモーター２を経て第２端子Ｍ２に流れ、モーター２は正方向に回転する。一方、スイッチＳ１−２またはＳ２−２が切替駆動された場合、第２端子Ｍ２は電源端子＋Ｂに接続され、第１端子Ｍ１はグランド端子ＧＮＤに接続されたままであるので、電流は第２端子Ｍ２からモーター２を経て第１端子Ｍ１に流れ、モーター２は負方向に回転する。
【００４９】
そして、操作ノブ５１の回転位置に応じて、回転軸部材５７は切替機構３を対応する駆動軸にモーター２を接続しているから、上記スライド操作により、シート１の所望の動作が行われる。
【００５０】
このように、一部材の操作ノブ５１により回転操作及びスライド操作の両方を行うようにし、操作ノブ５１の回転位置によらずスライド操作によりスイッチ５２の駆動が可能となるようにしたことで、回転操作とスライド操作で操作ノブ５１を持ち替える必要がなく、シート１の複数動作に対する操作をより容易かつ確実に行うことができる。
【００５１】
なお、第２の実施形態では、シート１について３種類の動作を想定し、この３種類の動作を切替可能となるように構成しているが、図６に示すように、スイッチ５２及びこれらに対応する垂直駆動部５５は、それぞれ４つずつが設けられているから、操作ノブ５１における４箇所の回転操作位置に対応させることもできる。したがって、第２の実施形態の場合には、そのままの構成でもう１種類の動作、例えば座面１ａのチルト動作などを行わせる場合に、その切替操作を行うこともできる。
【００５２】
以上、本発明の実施形態について説明したが、本発明の適用は本実施形態には限られず、その技術的思想の範囲内において様々に適用されうるものである。
【符号の説明】
【００５３】
１    シート
２    モーター
３    切替機構
４    スイッチ装置
１０    ハウジング
１１    操作ノブ
１２    スイッチ
１３    回転駆動部
１４    水平駆動部
１５    回転軸部材
５０    ハウジング
５１    操作ノブ
５２    スイッチ
５３    回転駆動部
５４    水平駆動部
５５    垂直駆動部
５６    ガイド部材
５７    回転軸部材
【図１】
0005605907.tif 000002
【図２】
0005605907.tif 000003
【図３】
0005605907.tif 000004
【図４】
0005605907.tif 000005
【図５】
0005605907.tif 000006
【図６】
0005605907.tif 000007
【図７】
0005605907.tif 000008